【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
吸入空気が流れるボアを形成するボデー本体と、
前記ボデー本体に回転可能に設けられたスロットルシャフト部、及び、前記スロットルシャフトの回転により前記ボアを開閉するスロットルバルブ部を有するスロットルバルブ体と
を備えるスロットルボデーであって、
前記ボデー本体を、ポリフェニレンサルファイド樹脂にガラスビーズ及びガラスファイバーを共に配合した樹脂材料により成形したことを特徴とするスロットルボデー。
【請求項２】
請求項１に記載のスロットルボデーであって、
前記スロットルバルブ体のスロットルシャフト部が前記ボデー本体に回転可能に設けられたスロットルシャフトであり、前記スロットルバルブ部が前記スロットルシャフトに設けられたスロットルバルブであることを特徴とするスロットルボデー。
【請求項３】
請求項１又は２に記載のスロットルボデーであって、
前記ボデー本体の樹脂材料において、前記ポリフェニレンサルファイド樹脂には、前記ガラスビーズを２０重量％以上と前記ガラスファイバーを１０重量％以上配合することを特徴とするスロットルボデー。
【請求項４】
請求項１〜３のいずれか１つに記載のスロットルボデーであって、
前記ボデー本体のボアを形成するボア壁部に連設壁部が連設され、
前記ボア壁部を周方向に均一な肉厚で形成し、
前記連設壁部を前記ボア壁部の肉厚の１／２以下の肉厚で形成した
ことを特徴とするスロットルボデー。
【請求項５】
請求項１〜４のいずれか１つに記載のスロットルボデーであって、
前記ボデー本体のボアを形成するボア壁部に、複数のボルト締結部を有する締結用フランジ部が一体形成され、
前記締結用フランジ部には、前記ボア壁部、及び、前記ボルト締結部、並びに、締結側の端面を形成する端板部を除いた部位において肉盗み部を設けた
ことを特徴とするスロットルボデー。
【請求項６】
請求項１〜５のいずれか１つに記載のスロットルボデーであって、
前記ボデー本体に、前記スロットルバルブ体のスロットルシャフト部を回転可能に支持する一対の軸受が設けられ、
前記一対の軸受のうち、少なくとも一方の軸受が、前記ボデー本体に形成された軸孔内に圧入した巻きブシュからなることを特徴とするスロットルボデー。
【請求項７】
請求項１〜６のいずれか１つに記載のスロットルボデーであって、
前記ボデー本体に、前記スロットルバルブ体のスロットルバルブ部をバイパスするバイパス通路が設けられ、
前記ボアを形成するボア壁部に、複数のボルト締結部を有する締結用フランジ部が一体形成され、
前記締結用フランジ部の締結側の端面における前記ボアと前記１つのボルト締結部との間に、前記バイパス通路の通路出口が開口され、
前記ボア及び前記通路出口を取り囲みかつ前記複数のボルト締結部を外側に配置する環状のシール面が設定されている
ことを特徴とするスロットルボデー。
【手続補正２】
【補正対象書類名】明細書
【補正対象項目名】０００８
【補正方法】変更
【補正の内容】
【０００８】
前記した課題は、特許請求の範囲の欄に記載された構成を要旨とするスロットルボデーにより解決することができる。
すなわち、特許請求の範囲の請求項１にかかるスロットルボデーによると、
スロットルバルブ体のスロットルシャフト部の回転にともないスロットルバルブ部が開閉されることにより、ボデー本体のボア内を流れる吸入空気の流量いわゆる吸入空気量が調整される。
ところで、ボデー本体が、ポリフェニレンサルファイド樹脂にガラスビーズ及びガラスファイバーを共に配合した樹脂材料により成形されている。
したがって、ポリフェニレンサルファイド樹脂にガラスビーズを配合することにより、ボデー本体の成形精度を向上することができる。これは、ガラスビーズの利点である熱膨張、熱収縮が小さく、配向性がなく、流動性がよく、成形性がよいことによるものである。
また、ポリフェニレンサルファイドにガラスファイバーを配合することにより、ボデー本体の強度を向上することができる。
また、ポリフェニレンサルファイド樹脂を用いることにより、ポリエーテルイミド（ＰＥＩ）樹脂、熱可塑性ポリイミド（ＰＩ）樹脂に比べ、コストを低減することができる。
以上の理由から、ポリフェニレンサルファイド樹脂にガラスビーズ及びガラスファイバーを共に配合した樹脂材料によりボデー本体を成形することによって、ボデー本体の成形精度及び強度を向上しながらも、コストを低減することのできるスロットルボデーを提供することができる。
また、特許請求の範囲の請求項２にかかるスロットルボデーによると、スロットルバルブ体は、ボデー本体に回転可能に設けられたスロットルシャフトと、そのスロットルシャフトに設けられたスロットルバルブとにより構成することができる。
【手続補正３】
【補正対象書類名】明細書
【補正対象項目名】０００９
【補正方法】変更
【補正の内容】
【０００９】
また、特許請求の範囲の請求項３にかかるスロットルボデーによると、前記ボデー本体の樹脂材料において、ポリフェニレンサルファイド樹脂には、ガラスビーズを２０重量％以上とガラスファイバーを１０重量％以上配合する。これにより、ガラスビーズによる成形精度の向上効果と、ガラスファイバーによる強度の向上効果を巧妙に両立させることができて好都合である。
【手続補正４】
【補正対象書類名】明細書
【補正対象項目名】００１０
【補正方法】変更
【補正の内容】
【００１０】
また、特許請求の範囲の請求項４にかかるスロットルボデーによると、ボデー本体のボアを形成するボア壁部に連設壁部が連設されている。また、ボア壁部を周方向に均一な肉厚で形成している。また、連設壁部をボア壁部の肉厚の１／２以下の肉厚で形成している。
これにより、ボア壁部に対する連設壁部の連設に起因する成形歪の発生を防止あるいは低減し、ボア壁部の寸法精度を向上することができる。このことは、ボア壁部の内壁面すなわちボア壁面の寸法精度の向上に有効である。
【手続補正５】
【補正対象書類名】明細書
【補正対象項目名】００１１
【補正方法】変更
【補正の内容】
【００１１】
また、特許請求の範囲の請求項５にかかるスロットルボデーによると、ボデー本体のボアを形成するボア壁部に、複数のボルト締結部を有する締結用フランジ部が一体形成されている。さらに、締結用フランジ部には、ボア壁部、及び、ボルト締結部、並びに、締結側の端面を形成する端板部を除いた部位において肉盗み部を設けている。
したがって、複数のボルト締結部を形成するために、厚肉化を余儀なくされる締結用フランジ部に肉盗み部を設けることによって、ボデー本体の樹脂成形時における締結用フランジ部及びその周辺部での樹脂の肉厚を均一化することができる。これにより、締結用フランジ部及びボア壁部における成形歪の発生を防止あるいは低減し、締結用フランジ部及びボア壁部の寸法精度を向上することができる。このことは、締結用フランジ部の締結側の端面、及び、ボア壁部の内壁面すなわちボア壁面の寸法精度の向上に有効である。
【手続補正６】
【補正対象書類名】明細書
【補正対象項目名】００１２
【補正方法】変更
【補正の内容】
【００１２】
また、特許請求の範囲の請求項６にかかるスロットルボデーによると、ボデー本体に、スロットルシャフト部を回転可能に支持する一対の軸受が設けられる。その一対の軸受のうち、少なくとも一方の軸受が、前記ボデー本体に形成された軸孔内に圧入した巻きブシュからなる。なお、本明細書でいう「巻きブシュ」とは、金属製の板状素材を所定外径の円筒形に巻いたもので、その突き合わせ目に所定の隙間が設定され、合わせ目の隙間を減少する方向へ弾性変形することにより縮径可能に構成されている。
したがって、巻きブシュの弾性変形を利用した縮径作用により、ボデー本体の軸孔に対する巻きブシュの圧入時、及び、その圧入後の発生応力を軽減することができる。これにより、巻きブシュの圧入にかかる応力に起因するボデー本体の変形、割れ等の発生を防止あるいは低減することができる。
【手続補正７】
【補正対象書類名】明細書
【補正対象項目名】００１３
【補正方法】変更
【補正の内容】
【００１３】
また、特許請求の範囲の請求項７にかかるスロットルボデーによると、ボデー本体に、スロットルバルブ体のスロットルバルブ部をバイパスするバイパス通路が設けられる。また、ボアを形成するボア壁部に、複数のボルト締結部を有する締結用フランジ部が一体形成される。そして、締結用フランジ部の締結側の端面におけるボアと１つのボルト締結部との間に、バイパス通路の通路出口が開口される。さらに、ボア及び通路出口を取り囲みかつ複数のボルト締結部を外側に配置する環状のシール面が設定されている。
したがって、締結用フランジ部にバイパス通路の通路出口及びシール面をコンパクトに配置することが可能である。このことは、締結用フランジ部の小型化、締結用フランジ部及びバイパス通路の通路出口の周辺壁部の変形防止、シール面によるシール性向上等に有効といえる。
【手続補正８】
【補正対象書類名】明細書
【補正対象項目名】００２４
【補正方法】変更
【補正の内容】
【００２４】
図６及び図７に示すように、前記スロットルシャフト３６には、半径方向に貫通するスリット孔４２が形成されている。
スロットルシャフト３６には、金属製（例えば、真鍮製）でかつ円板状をなすスロットルバルブ４４がスリット孔４２内に挿入された状態でスクリュ４５によって締着されている。
スロットルバルブ４４は、スロットルシャフト３６と一体で回転することによってボア３を開閉し、そのボア３を流れる吸入空気量を制御する。なお、スロットルバルブ４４は、図６に実線４４で示す状態が閉状態であり、その状態より図６において右回り方向（図６中、矢印「Ｏ（オー）」方向参照）へ回動されることによってボア３を開く（図６中、二点鎖線４４参照）。また、スロットルバルブ４４は、開いた位置から図６において左回り方向（図６中、矢印「Ｓ」方向参照）へ回動されることによってボア３を閉じる。
なお、スロットルボデー１のボデー本体２を樹脂製としたことにより、金属製のスロットルバルブ４４の摩耗を防止あるいは低減することができる。また、スロットルシャフト３６及び／又はスロットルバルブ４４は、樹脂製に代えてもよい。また、スロットルシャフト３６は本明細書でいう「スロットルシャフト部」に相当し、スロットルバルブ４４は本明細書でいう「スロットルバルブ部」に相当し、スロットルシャフト３６とスロットルバルブ４４とは本明細書でいう「スロットルバルブ体」を構成している。また、スロットルバルブ体は、例えば樹脂材料により一体成形することが可能である。
【手続補正９】
【補正対象書類名】明細書
【補正対象項目名】００５１
【補正方法】変更
【補正の内容】
【００５１】
１  スロットルボデー
２  ボデー本体
３  ボア
４  ボア壁部
１６  締結用フランジ部
２１  ボルト締結部
３０  シール面
３６  スロットルシャフト（スロットルシャフト部）
３７  軸受部
３７ａ  軸孔
３８  軸受（巻きブシュ）
４４  スロットルバルブ（スロットルバルブ部）
７５  バイパス通路
７６  通路壁部（連設壁部）
８０  通路出口
９６，９８  肉盗み部